(57)【要約】【課題】煩雑な操作を必要とせず、適切なタイミングでの投影動作の開始と停止を自動化することを可能とする。【解決手段】画像を投影する投影系のメインブロックBL１と、外部機器と接続されて、当該外部機器から上記投影部で投影するための信号を入力するＶＧＡ端子11と、ＶＧＡ端子11に外部機器が接続されているか否かを検出し、その検出結果に応じて電源ブロック21によるメインブロックBL１への電源供給を制御するシステムコントローラ18と、を備える。【選択図】図１
2016161916.tif 000002
【特許請求の範囲】
【請求項１】
画像を投影する投影部と、
外部機器と接続されて、当該外部機器から上記投影部で投影するための信号を入力する入力部と、
上記入力部に上記外部機器が接続されているか否かを検出する検出部と、
上記検出部での検出結果に応じて上記投影部の電源を制御する制御部と、
を備えることを特徴とする投影装置。
【請求項２】
上記投影部の電源の遮断を指示する指示部をさらに備え、
上記制御部は、上記指示部での指示を優先して上記投影部の電源を制御する
ことを特徴とする請求項１記載の投影装置。
【請求項３】
上記検出部は、予め設定した連続状態を示す閾値に基づいて上記入力部に上記外部機器が接続されているか否かを検出することを特徴とする請求項１または２記載の投影装置。
【請求項４】
上記入力部は、複数の外部機器を接続して信号を入力可能であり、
上記検出部は、上記投影部での投影内容に応じて、少なくとも１つの外部機器が接続されているか否かを検出する
ことを特徴とする請求項１乃至３いずれか記載の投影装置。
【請求項５】
画像を投影する投影部と、外部機器と接続されて、当該外部機器から上記投影部で投影するための信号を入力する入力部とを備えた装置での投影方法であって、
上記入力部に上記外部機器が接続されているか否かを検出する検出工程と、
上記検出工程での検出結果に応じて上記投影部の電源を制御する制御工程と、
を有することを特徴とする投影方法。
【請求項６】
画像を投影する投影部と、外部機器と接続されて、当該外部機器から上記投影部で投影するための信号を入力する入力部とを備えた装置が内蔵したコンピュータが実行するプログラムであって、上記コンピュータを
上記入力部に上記外部機器が接続されているか否かを検出する検出部、及び
上記検出部での検出結果に応じて上記投影部の電源を制御する制御部、
として機能させることを特徴とするプログラム。
【発明の詳細な説明】
【技術分野】
【０００１】
本発明は、外部機器から入力した信号に基づいて画像の投影を行なう投影装置、投影方法及びプログラムに関する。
【背景技術】
【０００２】
プロジェクタの起動時に、ダイレクトパワーオンによって起動した後、入力操作部からの操作を検出した場合に、暗証番号による認証を行なうための技術が提案されている。（例えば、特許文献１）
【先行技術文献】
【特許文献】
【０００３】
【特許文献１】特開２０１２−１２８３０９号公報
【発明の概要】
【発明が解決しようとする課題】
【０００４】
プロジェクタ装置では、電源投入後に装置本体に設けられたキー、あるいは専用のリモートコントローラのキーを操作することにより、光源のランプの点灯／消灯を指示する必要がある。そのため、例えば天井などに固定設置されたプロジェクタ装置では、光源のランプの点灯／消灯を行なう毎にリモートコントローラを操作しなければならず、そのための操作が煩雑となる。
【０００５】
また上記特許文献に記載された技術を含めて、ダイレクトパワーオン機能により装置の電源投入と同時に光源のランプ駆動を開始させるプロジェクタ装置では、画像入力用の端子に外部機器が接続されておらず、画像を投影することができない状態でも光源のランプが無条件に点灯され、全面白色の画像が投影されることになる、という不具合がある。
【０００６】
本発明は上記のような実情に鑑みてなされたもので、その目的とするところは、煩雑な操作を必要とせず、適切なタイミングでの投影動作の開始と停止を自動化することが可能な投影装置、投影方法及びプログラムを提供することにある。
【課題を解決するための手段】
【０００７】
本発明の一態様は、画像を投影する投影部と、外部機器と接続されて、当該外部機器から上記投影部で投影するための信号を入力する入力部と、上記入力部に上記外部機器が接続されているか否かを検出する検出部と、上記検出部での検出結果に応じて上記投影部の電源を制御する制御部と、を備えることを特徴とする。
【発明の効果】
【０００８】
本発明によれば、煩雑な操作を必要とせず、適切なタイミングでの投影動作の開始と停止を自動化することが可能となる。
【図面の簡単な説明】
【０００９】
【図１】本発明の一実施形態に係るプロジェクタ装置の回路構成の一部を抽出して示すブロック図。
【図２】同実施形態に係るプロジェクタ装置の他の回路構成の一部を抽出して示すブロック図。
【図３】同実施形態に係るプロジェクタ装置の他の回路構成の一部を抽出して示すブロック図。
【図４】同実施形態に係るプロジェクタ装置内のシステムコントローラが実行する投影動作の処理内容を示すフローチャート。
【発明を実施するための形態】
【００１０】
以下、図面を参照して本発明の一実施形態を詳細に説明する。  
図１は、本実施形態に係るプロジェクタ装置１０の回路構成の一部を抽出して示すブロック図である。同図で、例えばパーソナルコンピュータなどの図示しない外部機器から送られてきたアナログＲＧＢコンポーネント映像信号が、ＶＧＡ（Ｖｉｄｅｏ  Ｇｒａｐｈｉｃｓ  Ａｒｒａｙ）端子１１に入力される。
【００１１】
同図では、説明のためにあえて一部のピンを介して入力される信号を抽出して説明する。ＶＧＡ端子１１の１番ピン乃至３番ピンを介してアナログのＲ，Ｇ，Ｂ信号が直接ＡＤコンバータ１３に入力される。一方、同端子１１の１３番ピンを介してＨＳＹＮＣ（水平同期）信号が、アンプ１２ａにより、１４番ピンを介してＶＳＹＮＣ（垂直同期）信号がアンプ１２ｂにより、それぞれ所定の利得分だけ増幅された後に上記ＡＤコンバータ１３に入力される。
【００１２】
また、上記ＶＧＡ端子１１の１４番ピンを介したＶＳＹＮＣ信号は、アンプ１２ｃにより所定の利得分だけ増幅された後に、後述するシステムコントローラ１８に入力される。
【００１３】
上記ＡＤコンバータ１３は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）レシーバ１４とともに、このプロジェクタ装置１０で映像信号を入力するための入力部を構成する。
【００１４】
上記ＡＤコンバータ１３は、入力されたアナログの映像信号を上記水平同期信号及び垂直同期信号を用いてサンプリングを実行し、このプロジェクタ装置１０に適した画素構成にデジタル化した画像データに変換してスケーラ１５へ出力する。
【００１５】
また上記ＨＤＭＩレシーバ１４は、ＨＤＭＩ端子からデジタル化された画像データが入力された場合に、そのデータを受信し、上記スケーラ１５へ出力する。
【００１６】
スケーラ１５は、このプロジェクタ装置１０内でより演算処理能力の高いプロセッサを含むメインとなるマイクロコンピュータで構成する。  
スケーラ１５は、ＡＤコンバータ１３またはＨＤＭＩレシーバ１４から送られてきた画像データに応じて、所定のフォーマットに従ったフレームレート、例えば１２０［フレーム／秒］に従って、例えばマイクロミラー素子で構成される表示デバイス１６を表示駆動する。
【００１７】
一方で、スケーラ１５が光源１７の発光駆動を行なうことで、光源１７から時分割でＲ，Ｇ，Ｂの原色光が循環的に出射される。光源１７は、例えば半導体発光素子であるＬＥＤを有し、Ｒ，Ｇ，Ｂの原色光を時分割で繰返し出射する。光源１７が有するＬＥＤは、広義でのＬＥＤとして、ＬＤ（半導体レーザ）や有機ＥＬ素子を含むものとしても良い。
【００１８】
この光源１７からの原色光が、上記表示デバイス１６に照射され、その反射光または透過光により光像が形成されて、形成された光像が図示しない投影レンズ光学系を介して投影対象となるスクリーン等に投影される。
【００１９】
上記ＡＤコンバータ１３、ＨＤＭＩレシーバ１４、スケーラ１５、表示デバイス１６、及び光源１７を、投影系のメインブロックＢＬ１として、システムコントローラ１８が統括して制御する。
【００２０】
システムコントローラ１８は、このプロジェクタ装置内で、プロセッサを含むサブとなるマイクロコンピュータで構成する。  
システムコントローラ１８は、アンプ１２ｃを介して上記ＶＧＡ端子１１からＶＳＹＮＣ信号を受付け、また電源キー１９、及びリモコン受光部２０からキー操作信号を受付ける。
【００２１】
電源キー１９は、電源のオン／オフを指示する操作キーである。リモコン受光部２０は、ここでは図示しない、このプロジェクタ装置１０専用のリモートコントローラから赤外線変調されたキー操作信号を受付け、デコードした結果をシステムコントローラ１８に送出する。  
またシステムコントローラ１８は、上記スケーラ１５と通信してその動作を制御すると共に、電源ブロック２１を制御してメインブロックＢＬ１に必要な電源を供給させる。
【００２２】
なお上記図１では、ＶＧＡ端子１１にパーソナルコンピュータ等の外部機器が接続されたことを、システムコントローラ１８がアンプ１２ｃを介してＶＳＹＮＣ信号を入力しているか否かにより検出する場合の回路構成について説明したが、本実施形態はこれに限らず、他の回路構成とすることも考えられる。
【００２３】
図２は、ＶＧＡ端子１１からのＶＳＹＮＣ信号に代えて、同端子１１の９番ピンからの電源用電圧＋５［Ｖ］がシステムコントローラ１８に与えられる場合の回路構成を例示するものである。システムコントローラ１８では、この電源用電圧＋５［Ｖ］の有無により、ＶＧＡ端子１１に外部機器が接続されているか否かを検出する。
【００２４】
図３は、上記ＶＧＡ端子１１に代えて、ＨＤＭＩ端子３１に外部機器を接続した場合の回路構成を示す。例えばタイプＡのＨＤＭＩコネクタ端子３１において、１番ピン乃至１２番ピンのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式のデジタル映像音声信号がＨＤＭＩレシーバ１４に入力されるとともに、１８番ピンの電源用電圧＋５［Ｖ］がシステムコントローラ１８に与えられる。システムコントローラ１８では、この電源用電圧＋５［Ｖ］の有無により、ＨＤＭＩコネクタ端子３１に外部機器が接続されているか否かを検出する。
【００２５】
なお上記した各回路構成に限らず、例えばこのプロジェクタ装置１０がＵＳＢ（Ｕｎｉｖｅｒｓａｌ  Ｓｅｒｉａｌ  Ｂｕｓ）ディスプレイ機能にも対応するものとしてもよい。  
この場合、図示しないＵＳＢ端子に外部機器が接続されると、当該ＵＳＢ端子の１番ピンへの電源用電圧＋５［Ｖ］がシステムコントローラ１８に与えられる。システムコントローラ１８では、この電源用電圧＋５［Ｖ］の有無により、ＨＤＭＩコネクタ端子３１に外部機器が接続されているか否かを検出する。
【００２６】
次に上記実施形態の動作について説明する。  
なお以下の説明では、上記図１で示した回路構成を例にとって、上記画像メモリ１２には、複数のマスク画像データと、複数の質問画像データとが予め記憶されているものとする。
【００２７】
図４は、システムコントローラ１８がＡＣ電源をプロジェクタ装置１０に接続してから実行する、投影動作の処理内容を示すフローチャートである。
【００２８】
その処理当初にシステムコントローラ１８は、上記電源ブロック２１により上記投影系のメインブロックＢＬ１を除いて他の各回路への電源供給を開始させる（ステップＳ１０１）。
【００２９】
この状態からシステムコントローラ１８は、ＶＧＡ端子１１からＶＳＹＮＣ信号が入力されているか否かを、例えばその立上りエッジを１［秒］間に５回以上検出したか否かにより判断する（ステップＳ１０２）。
【００３０】
ここで、ＶＳＹＮＣ信号の立上りエッジを１［秒］間に５回以上検出することができず、ＶＳＹＮＣ信号が入力されていないと判断した場合（ステップＳ１０２のＮｏ）、ＯＮキー操作があるか否かを検出し（ステップＳ１１０）、ＯＮキーが操作されていない場合（ステップＳ１１０のＮｏ）、再びこのステップＳ１０２に戻り、以後このステップＳ１０２，Ｓ１１０を繰返し実行することで、ＶＳＹＮＣ信号が入力されるのを待機する。
【００３１】
上記ステップ１０２において、ＶＳＹＮＣ信号の立上りエッジを１［秒］間に５回以上検出することができ、ＶＳＹＮＣ信号が入力されていると判断した場合（ステップＳ１０２のＹｅｓ）、及び上記ステップＳ１１０でＯＮキーの操作があった場合（ステップＳ１１０のＹｅｓ）、次にシステムコントローラ１８は、電源ブロック２１によりメインブロックＢＬ１への電源供給を開始させて、投影動作を開始させる（ステップＳ１０３）。
【００３２】
このとき投影系のメインブロックＢＬ１では、ＶＧＡ端子１１から入力されたアナログのＲ，Ｇ，Ｂの各画像信号とＨＳＹＮＣ信号、及びＶＳＹＮＣ信号等を用いてＡＤコンバータ１３がデジタル値の画像データに変換し、スケーラ１５に送出する。
【００３３】
スケーラ１５は、表示デバイス１６を駆動して投影画像を表示させると共に、光源１７により適切なタイミングで順次原色光を循環的に出射させて、表示デバイス１６での例えば反射光により光像を形成して、図示しない投影対象に向けて投射させる。
【００３４】
この投影状態を維持しながらシステムコントローラ１８は、上記電源キー１９により電源をオフする操作がなされたか否かを判断する（ステップＳ１０４）。
【００３５】
ここで当該操作がなされていないと判断した場合（ステップＳ１０４のＮｏ）、システムコントローラ１８は次に、上記ＶＧＡ端子１１からのＶＳＹＮＣ信号の入力が途絶したか否かを判断する（ステップＳ１０５）。
【００３６】
ＶＳＹＮＣ信号の入力が途絶していないと判断した場合（ステップＳ１０５のＮｏ）、システムコントローラ１８は再び上記ステップＳ１０４からの処理に戻る。
【００３７】
こうしてステップＳ１０４，Ｓ１０５の処理を繰返し実行することで、システムコントローラ１８は投影状態を維持しながら、投影動作を停止するタイミングとなるのを待機する。
【００３８】
上記ステップＳ１０５において、ＶＧＡ端子１１からのＶＳＹＮＣ信号の入力が途絶したと判断した場合（ステップＳ１０５のＹｅｓ）、システムコントローラ１８は電源ブロック２１によりメインブロックＢＬ１への電源供給を停止させて、投影動作を停止し、スタンバイ状態に移行した上で（ステップＳ１０６）、再び上記ステップＳ１０２からの処理に戻る。  
また上記ステップＳ１０４において、電源キー１９により電源をオフする操作がなされたと判断した場合（ステップＳ１０４のＹｅｓ）、システムコントローラ１８は電源ブロック２１によりメインブロックＢＬ１への電源供給を停止させて、投影動作を停止し、スタンバイ状態に移行する（ステップＳ１０７）。
【００３９】
その後、システムコントローラ１８は今度は上記電源キー１９により電源をオンする操作がなされたか否かを判断する（ステップＳ１０８）。
【００４０】
こうしてステップＳ１０８の処理を繰返し実行しながら、電源キー１９により電源をオンする操作がなされるのを待機する。そして、電源キー１９により電源をオンする操作がなされたと判断した時点で（ステップＳ１０８のＹｅｓ）、再び上記ステップＳ１０３からの処理に戻る。  
ここで当該操作がなされていないと判断した場合（ステップＳ１０８のＮｏ）、システムコントローラ１８は、ＶＧＡ端子１１からＶＳＹＮＣ信号が入力されているか否かを判断する（ステップＳ１０９）。
【００４１】
ここで、ＶＳＹＮＣ信号が入力されていないと判断した場合（ステップＳ１０９のＮｏ）、システムコントローラ１８は再び上記ステップＳ１０２からの処理に戻る。また上記ステップＳ１０９において、ＶＳＹＮＣ信号が入力されたと判断した場合（ステップＳ１０９のＹｅｓ）、再び上記ステップＳ１０８からの処理に戻る。
【００４２】
このように、投影系のメインブロックＢＬ１に対する電源供給を実際にＶＧＡ端子１１への画像信号の有無により自動的に切換えるものとした。
【００４３】
なお上記図２及び図３で示した回路構成にあっては、上記ステップＳ１０２でＶＳＹＮＣ信号が入力されているか否かによってＶＧＡ端子１１に外部機器が接続されているか否かを判断する処理に代えて、電源用電圧＋５［Ｖ］の印加状態が一定時間、例えば１［秒］間継続したらＶＧＡ端子１１またはＨＤＭＩコネクタ端子３１に外部機器が接続されていると判断する処理とすることで、同様に対処可能となる。
【００４４】
その場合、上記ステップＳ１０５でＶＳＹＮＣ信号が途絶したか否かによってＶＧＡ端子１１から外部機器が外されたか否かを判断する処理に代えて、電源用電圧＋５［Ｖ］の印加状態が一定時間、例えば１０［秒］間継続したらＶＧＡ端子１１またはＨＤＭＩコネクタ端子３１から外部機器が外されたものと判断する処理とすることで、同様に対処可能となる。
【００４５】
以上詳述した如く本実施形態によれば、煩雑な操作を必要とせず、適切なタイミングでの投影動作の開始と停止を自動化することが可能となる。
【００４６】
また上記実施形態では、投影動作中の電源キー１９の操作により、ＶＧＡ端子１１から信号が入力されている状態でも、強制的にメインブロックＢＬ１への給電を一時的に停止するようにしたため、例えばプロジェクタ装置１０を用いたプレゼンテーション動作の途中で、一旦投影動作を停止したい場合など、プロジェクタ装置１０のユーザの意思を反映して、投影動作の開始と終了とを制御できる。
【００４７】
また上記実施形態では、端子に外部機器が接続されたか、及び端子から外部機器が外されたかをそれぞれ連続状態を示す閾値に基づいて判断して検出を行なうものとしたので、ケーブルの差換えで意図せずに投影系のメインブロックＢＬ１の電源を切断するのを防止できる。
【００４８】
なお上記実施形態では説明しなかったが、複数の外部機器を接続している際には、それら接続されているすべての外部機器との接続状態を検出し続けることで、その検出結果と、その時点で投影画像に使用している外部機器の選択状態とを勘案して、メインブロックＢＬ１への電源の制御を行なうことで、複数の外部機器からの各信号を選択して画像投影を行なっている際に、さらに煩雑となる操作を簡略化して、適宜外部機器の接続と取り外しを実現できる。
【００４９】
なお上記実施形態は、プロジェクタ方式や、外部機器を接続する端子の形式等を限定するものではなく、アナログの信号、デジタル値の信号を問わず実現可能であることは上述した通りである。
【００５０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５１】
以下に、本願出願の当初の特許請求の範囲に記載された発明を付記する。  
［請求項１］  
画像を投影する投影部と、  
外部機器と接続されて、当該外部機器から上記投影部で投影するための信号を入力する入力部と、  
上記入力部に上記外部機器が接続されているか否かを検出する検出部と、  
上記検出部での検出結果に応じて上記投影部の電源を制御する制御部と、  
を備えることを特徴とする投影装置。  
［請求項２］  
上記投影部の電源の遮断を指示する指示部をさらに備え、  
上記制御部は、上記指示部での指示を優先して上記投影部の電源を制御する  
ことを特徴とする請求項１記載の投影装置。  
［請求項３］  
上記検出部は、予め設定した連続状態を示す閾値に基づいて上記入力部に上記外部機器が接続されているか否かを検出することを特徴とする請求項１または２記載の投影装置。
［請求項４］  
上記入力部は、複数の外部機器を接続して信号を入力可能であり、  
上記検出部は、上記投影部での投影内容に応じて、少なくとも１つの外部機器が接続されているか否かを検出する  
ことを特徴とする請求項１乃至３いずれか記載の投影装置。  
［請求項５］  
画像を投影する投影部と、外部機器と接続されて、当該外部機器から上記投影部で投影するための信号を入力する入力部とを備えた装置での投影方法であって、  
上記入力部に上記外部機器が接続されているか否かを検出する検出工程と、  
上記検出工程での検出結果に応じて上記投影部の電源を制御する制御工程と、  
を有することを特徴とする投影方法。  
［請求項６］  
画像を投影する投影部と、外部機器と接続されて、当該外部機器から上記投影部で投影するための信号を入力する入力部とを備えた装置が内蔵したコンピュータが実行するプログラムであって、上記コンピュータを、  
上記入力部に上記外部機器が接続されているか否かを検出する検出部、及び  
上記検出部での検出結果に応じて上記投影部の電源を制御する制御部、  
として機能させることを特徴とするプログラム。
【符号の説明】
【００５２】
１０…プロジェクタ装置、
１１…ＶＧＡ端子、
１２ａ〜１２ｅ…アンプ、
１３…ＡＤコンバータ、
１４…ＨＤＭＩレシーバ、
１５…スケーラ（メインマイコン）、
１６…表示デバイス、
１７…光源、
１８…システムコントローラ（サブマイコン）、
１９…電源キー、
２０…リモコン受光部、
２１…電源ブロック、
３１…ＨＤＭＩ端子、
ＢＬ１…メインブロック。
【図１】
2016161916.tif 000003
【図２】
2016161916.tif 000004
【図３】
2016161916.tif 000005
【図４】
2016161916.tif 000006